(57)【要約】【課題】  カメラを重く、かつ大型化することなく輝度ムラを抑え、外光を遮光する表示装置の保持構成を設けたカメラを提供する。【解決手段】  レンズユニットの結像位置へ少なくとも光軸方向に位置調整可能であって、レンズユニットから結像された被写体像を撮像する撮像手段と撮像手段の背面に保持され、撮像手段の露光タイミングを制御するタイミングジェネレータと撮像手段からの出力をデジタル信号に変換するA/D変換回路を有する実装基板と撮像手段の出力画像を表示可能な表示装置と表示装置と一体的に貼り付けた保護窓と 撮像手段を内包し、表示装置を保持可能な外装カバーとを有し、 外装カバーは２段の階段状の枠で構成され、一段目には保護窓をのせ、２段目は遮光のための枠であり、枠は光軸方向に位置調整する撮像手段とともに移動する実装基板の移動範囲を開口している構成とした。【選択図】  図１
2014158120.tif 000002
【特許請求の範囲】
【請求項１】
レンズユニットの結像位置へ少なくとも光軸方向に位置調整可能であって、該レンズユニットから結像された被写体像を撮像する撮像手段と前記撮像手段の背面に保持され、前記撮像手段の露光タイミングを制御するタイミングジェネレータと該撮像手段からの出力をデジタル信号に変換するＡ／Ｄ変換回路を有する実装基板と前記撮像手段の出力画像を表示可能な表示装置と該表示装置と一体的に貼り付けた保護窓と 前記撮像手段を内包し、前記表示装置を保持可能な外装カバーとを有し、前記外装カバーは２段の階段状の枠で構成され、一段目には前記保護窓をのせ、２段目は遮光のための枠であり、前記枠は光軸方向に位置調整する前記撮像手段とともに移動する実装基板の移動範囲を開口していることを特徴とするカメラ。
【請求項２】
デジタル画像信号が記録されている記録媒体と前記表示装置へ前記記録媒体のデジタル画像信号を送る画像処理回路と該画像処理回路からのデジタル画像信号をアナログ画像信号に変換するＤ／Ａ変換回路とを有し、前記表示装置は前記画像処理回路および前記Ｄ／Ａ変換回路に接続するための回路接続手段を設けており、前記外装カバーの階段状の枠は前記表示装置の回路接続手段が設けられている部分は一段目の枠のみで構成することを特徴とする請求項１に記載のカメラ。
【発明の詳細な説明】
【技術分野】
【０００１】
本発明は、デジタルカメラに関し、撮影画像を表示可能な表示装置を有するデジタルカメラに関するものである。
【背景技術】
【０００２】
近年、デジタルカメラやカメラ機能付き携帯電話などの撮像機能を有する電子機器が普及してきている。これらの電子機器は液晶ディスプレイや有機ELディスプレイなどの表示装置を有し、レンズを介して撮像手段により取り込まれた撮像画像をスルー表示することが可能であり、表示された画像を見ながら構図や露出、レンズのピント位置を確認することができる。また、撮影後の画像の確認や設定変更を行うメニュー表示が可能である。
【０００３】
これらの用途から表示装置は撮影画像の視認性が求められており、表示領域の大型化と表示画像の高輝度、高コントラスト化が進んでいる。また、屋外で太陽光が表示装置の保護窓と表示部のパネル面に反射して視認性が低下することを抑えるために、表示装置の保護窓と表示部を貼りつけてパネル面の反射を抑えた一体構成の表示装置が普及してきている。その反面、ユーザーが表示装置の窓を指で押すと一体構成であるために表示部が変形してバックライトの光量にムラができ、表示画像の輝度ムラとなる問題がある。
【０００４】
とくにタッチセンサを内包した表示装置が普及してきており、ユーザーが表示装置の窓を指で押してデジタルカメラの設定変更やピント位置を指定する操作を行うため、輝度ムラが発生しやすい。この表示画像の輝度ムラは表示領域の大型化によって表示モジュールがたわみやすくなること、および表示画像の高輝度、高コントラスト化で輝度変化が明瞭になることによって顕著化してきている。
【０００５】
また、保護窓と表示部が別体構成では、保護窓と表示部の間にカメラ筐体の外装カバーを挟み込んで保持するため、保護窓からカメラ筐体内部に入る外光を外装カバーで遮光していたが、一体構成では、保護窓と表示部の間に外装カバーを挟み込めない。そのため、保護窓からカメラ筐体内部に外光が入ると、カメラ内部の金属板などに反射して撮像素子に光が入り込んでしまう問題となる。
【０００６】
そこで、保護窓と表示部が一体構成の表示装置を金属板で保持し、遮光するカメラが提案されている。例えば、特許文献1では、保護窓と表示部が一体構成の表示装置をカメラ筐体の内側から嵌め込み、表示部全体を覆うように金属板で保持し、輝度ムラが発生しないように表示部の変形を抑え、かつ外光を遮光する構成としている。
【先行技術文献】
【特許文献】
【０００７】
【特許文献１】特開２００９-１４５７６０号公報
【発明の概要】
【発明が解決しようとする課題】
【０００８】
しかし、上述の従来技術では、ユーザーが表示装置の窓を指で押すなどの外圧で表示モジュールが変形しないように剛性のある厚い金属板で保持する必要があり、かつ外光を遮光するために表示モジュール全体を金属板で覆う必要がある。そのため、金属板によりカメラの重量が重くなり、かつ大型化してしまうという問題がある。
【０００９】
そこで、本発明の目的は、カメラを重く、かつ大型化することなく輝度ムラを抑え、外光を遮光する表示装置の保持構成を設けたカメラを提供することである。
【課題を解決するための手段】
【００１０】
上記目的を達成するために、本発明は、レンズユニット（２）の結像位置へ少なくとも光軸方向に位置調整可能であって、該レンズユニット（２）から結像された被写体像を撮像する撮像手段（３）と前記撮像手段（３）の背面に保持され、前記撮像手段（３）の露光タイミングを制御するタイミングジェネレータ（２２）と該撮像手段（３）からの出力をデジタル信号に変換するＡ/Ｄ変換回路（２３）を有する実装基板（３８）と前記撮像手段（３）の出力画像を表示可能な表示装置（１８）と該表示装置（１８）と一体的に貼り付けた保護窓（３３）と 前記撮像手段（３）を内包し、前記表示装置を保持可能な外装カバー（３５）とを有し、 前記外装カバー（３５）は２段の階段状の枠で構成され、一段目には前記保護窓（３３）をのせ、２段目は遮光のための枠であり、前記枠は光軸方向に位置調整する前記撮像手段（３）とともに移動する実装基板（３８）の移動範囲を開口していることを特徴とする カメラ（１）を提供する。
【００１１】
また、上記目的を達成するために、本発明は、デジタル画像信号が記録されている記録媒体（１６）と前記表示装置（１８）へ前記記録媒体（１６）のデジタル画像信号を送る画像処理回路（２４）と該画像処理回路（２４）からのデジタル画像信号をアナログ画像信号に変換するＤ／Ａ変換回路（２８）とを有し、前記表示装置（１８）は前記画像処理回路（２４）および前記Ｄ／Ａ変換回路に接続するための回路接続手段（３７）を設けており、前記外装カバー（３５）の階段状の枠は前記表示装置（１８）の回路接続手段（３７）が設けられている部分は一段目の枠のみで構成することを特徴とするカメラ（１）を提供する。
【発明の効果】
【００１２】
本発明によれば、カメラを重く、かつ大型化することなく輝度ムラを抑え、外光を遮光する表示装置の保持構成を設けたカメラを提供することができる。
【図面の簡単な説明】
【００１３】
【図１】本発明に適用できるデジタルカメラ１の一例の構成を示すブロック図である。
【図２】（ａ）本発明に適用できるデジタルカメラ１の一例の正面斜視図である。（ｂ）本発明に適用できるデジタルカメラ１の一例の背面斜視図である。
【図３】本発明に適用できるデジタルカメラ１の一例の断面図である。
【図４】本発明に適用できる表示装置１８の保持構成の概略図である。
【図５】本発明に適用できる表示装置ユニット51の一例の操作スイッチ部における拡大分解斜視図である。
【図６】（ａ）本発明に適用できる表示装置ユニット51の正面図である。（ｂ）本発明に適用できる表示装置ユニット51の断面図である
【発明を実施するための形態】
【００１４】
以下に、本発明の好ましい実施の形態を、添付の図面に基づいて詳細に説明する。
【００１５】
［実施例１］
まず、図１、２を参照して、本発明の第１の実施例の主な構成を説明する。図１はカメラ１の内部構成を示すブロック図である。また、図２はデジタルカメラ１の外観図を示したもので、（ａ）は正面斜視図、（ｂ）は背面斜視図をそれぞれ示している。デジタルカメラ１の正面にはレンズユニット２が設けられ、レンズユニット２から入射した光は、デジタルカメラ１の内部にある撮像手段３に結像するよう構成されている。撮像手段３はレンズユニット２のすくなくとも光軸方向に位置調整可能に弾性部材もしくはワッシャを介してデジタルカメラ１の本体に保持されている。
【００１６】
レンズユニット２と撮像手段３の間には、光学ファインダー４へ光を反射するメインミラー５とシャッター６が配置されている。メインミラー５により反射された光は、焦点板７に結像されてペンタプリズム８により光学ファインダー４へ導かれるとともに、露出検出手段９へ分光される。また、メインミラー５はハーフミラーとなっており、透過した一部の光はメインミラー５に回動可能に取り付けられたサブミラー１０に反射され、焦点検出手段１１に入光する。ユーザーがレリーズ釦１２を半押し（ＳＷ１）すると、露出検出手段９による測光、焦点検出手段１１による測距およびレンズユニット２内のレンズ駆動手段１３によるフォーカスレンズ１４の駆動が開始される。つぎにユーザーがレリーズ釦１２を全押し（ＳＷ２）すると撮像手段３の前面に配置しているメインミラー５およびシャッター６が駆動し、レンズユニット２からの光が撮像手段３へ入光する。
【００１７】
そして撮像手段３は電荷蓄積および電荷読み出し動作を開始させる露光動作を行う。そして、デジタルカメラ１の側面に設けられた画像記録読込手段１５に装着されている記録媒体１６に撮影画像を記録保存する。記録媒体１６に保存された画像は、デジタルカメラ１の背面の画像再生釦１７を押すことで、表示装置１８に表示される。
【００１８】
つぎに本実施形態のデジタルカメラ１は、デジタルカメラ１全体の制御を司るシステム制御回路１９を有する。システム制御回路１９は、ＣＰＵやＭＰＵ等により構成され、後述する各回路等の動作を制御する。測距が開始されるとシステム制御回路１９は焦点検出手段１１からの出力をもとにレンズ駆動手段１３を制御し、フォーカスレンズ１４を光軸方向に駆動して焦点合わせを行う。
【００１９】
また、システム制御回路１９は露光制御部２０によりレンズユニット２内の絞り２１、メインミラー５、シャッター６およびタイミングジェネレータ２２を制御する。メインミラー５はレンズから撮像手段３への光路より退避するアップ位置に駆動可能で、サブミラー１０もメインミラー５に対して折り畳まれて撮影光路外に退避する。シャッター６は、先幕および後幕を有して構成されており、レンズユニット２からの光束の透過および遮断を制御する。測光が開始されるとシステム制御回路１９は露出検出手段９からの出力とユーザーが事前に設定した撮影条件に応じて絞りおよびシャッタースピードの値を決定する。
【００２０】
撮影条件の設定方法については後述する。レリーズ釦１２（ＳＷ２）により撮影動作が開始されるとシステム制御回路１９は露光制御部２０により絞り２１を決定された値に制御する。また、システム制御回路１９は決定されたシャッタースピードに応じ露光制御部２０によりメインミラー５およびサブミラー１０をアップ/ダウン駆動させ、シャッター６の先幕および後幕の走行駆動を制御する。また、システム制御回路１９は露光制御部２０によりタイミングジェネレータ２２から撮像手段３を駆動する際に必要なパルス信号を出力させる。撮像手段３はタイミングジェネレータ２２から出力されたパルス信号に応じ電荷蓄積および電荷読み出し動作を行う。
【００２１】
撮像手段３から読み出された電荷はＡ／Ｄ変換回路２３によりデジタル化され、画像処理回路２４へ送られる。送られた画像は画像処理回路２４内の画像処理部２５によりホワイトバランス調整や画像圧縮処理等を行われ、記録制御部２６により画像記録読込手段１５を介し記録媒体１６に記録保存される。記録媒体１６は一般的なＳＤカードやＣＦカードなどである。記録媒体１６に保存した撮影画像は、画像再生釦１７を押すことで画像記録読込手段１５により画像処理回路２４内の表示制御部２７に読み込まれ、Ｄ／Ａ変換回路２８によりアナログ化され表示装置１８に表示される。
【００２２】
なお、本発明においては、レンズユニット２はフォーカスレンズ１４のみの記載であるが、ズームレンズを有するものなどでもよく、一体型もしくは取替え可能な別体型の構成としてもよい。また、メインミラー５、サブミラー１０およびペンタプリズム８を省き、シャッター６を撮像手段３による電子シャッターとし、光学ファインダー４の代わりにＥＶＦ（電子ファインダー）もしくは表示装置１８に表示するＬＶモードの構成にしてもよい。このとき、露出検出手段９の代わりに撮像手段３が露出検出を行う。上述したこれらの構成に関しては公知であるため詳細な説明は省略する。
【００２３】
つぎに撮影条件の設定方法について説明する。操作部材である撮影モード選択手段２９は撮影モードを設定することができ、例えば自動露出モード、絞り優先露出モード（Ａｖ）、シャッタースピード優先露出モード（Ｔｖ）、マニュアルモード（Ｍ）、バルブモード（Ｂ）を設定できる。自動露出モードに設定した場合は、ダイヤル操作部材である露出設定手段３０により撮影者が任意に適正露出を補正することができ、絞り値およびシャッタースピードは撮影時にその適正露出になるように自動で決定される。
【００２４】
絞り優先露出モード（Ａｖ）、シャッタースピード優先露出モード（Ｔｖ）、マニュアルモード（Ｍ）を設定した場合は、絞り設定手段３１およびシャッタースピード設定手段３２により、絞り値およびシャッタースピードを任意に設定できる。バルブモードを設定した場合は、レリーズ釦１２（ＳＷ2）を押すと撮影を開始し、レリーズ釦１２（ＳＷ2）を押している間は露光し続け、レリーズ釦１２（ＳＷ2）を離すと露光終了し、撮影中にシャッタースピードが決定できる。
【００２５】
つぎに本発明の特徴である表示装置１８の保持構成について図３のデジタルカメラ１の断面図と図４の表示装置１８の保持構成の概略図を用いて説明する。まず、表示装置１８は、液晶方式や有機ＥＬ方式などの表示パネルであり、表示パネルを保護するための保護窓３３と表示パネルは透過性の光学弾性部材３４を介し、一体的に構成されている。表示装置１８にタッチセンサを内包する場合は、表示装置１８と保護窓３３の間に配置し、光学弾性部材３４により表示装置１８と保護窓３３に接着する。
【００２６】
つぎに図４（ａ）に示すように表示装置１８を固定する外装カバー３５は、階段状の枠を設けており、一段目３５ａには保護窓３３をのせ、接着部材３６で固定する。接着部材３６は黒色に着色されており、保護窓３３の外周部が表示装置１８のバックライトからの反射光で光らないように遮光する。外装カバー３５の階段状の枠の２段目３５ｂは遮光のための枠であり、デジタルカメラ１の内部へ外光や表示装置１８のバックライトの光が入らないように構成されている。このように階段状の枠で表示装置１８を保持することで遮光するとともにユーザーが表示装置の窓を指で押すなどの外圧で表示モジュールが変形しないように剛性を持たせている。
【００２７】
また、図４（ｂ）に示すように表示装置１８とＤ／Ａ変換回路２８や画像処理回路２４とを接続するフレキシブルプリント配線板(以下FPCと称する)などの回路接続手段３７が通る部分は保護窓３３を受ける一段目の枠のみで構成されている。
【００２８】
つぎに、上述したように撮像手段３はレンズユニット２のすくなくとも光軸方向に位置調整可能に弾性部材もしくはワッシャを介してデジタルカメラ１の本体に保持されている。また、撮像手段３はタイミングジェネレータ２２とＡ／Ｄ変換回路２３を有する実装基板３８を背面に保持しており、実装基板３８は撮像手段３の光軸方向への位置調整とともに移動する。そこで図４（ａ）に示すように遮光用の２段目の枠は光軸方向に移動する実装基板３８に対して開口しており、実装基板３８が枠の内側に収まるよう構成している。これにより、デジタルカメラ１を光軸方向に小型化している。
【００２９】
次に、本発明における実装構成に関して図２、図５、図６の概略図を用いて説明する。
【００３０】
図２に示すように、表示装置ユニット51は操作ボタン39を有し、操作ボタン39は第1の領域の操作ボタン39a、第1の領域の操作ボタン39aとは離れた位置にある第2の領域の操作ボタン39bの2つの領域を持つ。図５は、表示装置ユニット51の上記操作ボタン39の拡大分解斜視図である。第1のFPC 42と第2のFPC 43には、それぞれメタルドームスイッチやタクトスイッチ、ゴムスイッチ等が実装される。第1の領域の操作ボタン39a、または第2の領域の操作ボタン39bが押されると、FPC上のメタルドームスイッチやタクトスイッチ、ゴムスイッチ等の操作スイッチ(図示せず)により信号を拾うことができるようになっている。
【００３１】
また、第1のFPC 42と第2のFPC 43には、それぞれ第1の金属プレート40と第2の金属プレート41が取り付けられている。第1の金属プレート40と第2の金属プレート41には実装基板44が取り付けられ、これらは電気的にもGND電位で接続されている。さらに、第1の金属プレート40には第3の金属プレート45が接続される。この第3の金属プレート45は板バネによって表示装置18の背面に接触し、他端の三脚座接続部45bにおいて三脚座の金属部材と接続されている。また、第2の金属プレート41は実装基板44を介して第1の金属プレート40に接続し、電気的に浮いた状態にならないようにしている。
【００３２】
上記構成により、静電気によって回路の誤動作等の問題が起こることを防いでいる。さらに、第1の領域の操作ボタン39a、もしくは第2の領域の操作ボタン39bから侵入した静電気は、それぞれ第1のFPC 42と第2のFPC 43を通り、実装基板44を通して第1の金属プレート40へと逃がすことができる。そして第1の金属プレート40に接続された第3の金属プレート45を通して三脚座へ静電気を逃がすことができる。
【００３３】
また、本実施例においては、実装基板44は第1の金属プレート40の半抜き部40a、40bにおいて接続される。そのため、第1の金属プレート40と実装基板44は半抜き部40a、40b以外においてはクリアランスを有するため、操作ボタン等に荷重が掛かり、第1の金属プレート40が荷重を受けて撓んだとしても、実装基板44には変形が伝わりにくい。これにより、実装基板44が変形しICなどの実装部品の端子部に負荷が掛かることを防止できる。また、第1の金属プレート40は実装基板44よりも外装側に位置するため、実装基板44から発生するノイズ等を遮蔽する効果も兼ねている。
【００３４】
さらに、本実施例においては、第1の領域の操作ボタン39aが第2の領域の操作ボタン39bよりも広い領域を持つために、第1の金属プレート40は、第2の金属プレート41よりも大きい面積を持つ。そのため、第1の金属プレート40は、第2の金属プレート41より大きな剛性を確保しなければ、操作ボタンを介して荷重が掛かったときに変形しやすく、面積の小さい第2の金属プレート41や操作ボタンを持たない第3の金属プレート45と比較した場合、板厚を厚く設定する必要がある。このとき、本実施例の構成によれば、実装基板44や第3の金属プレート45を伸ばして接続を行うことができるため、第1の金属プレート40の面積は、第1の領域の操作ボタン39aを取り付けるための最小限の面積に抑えることができる。したがって、第1の金属プレート40の面積を拡大することによる重量の増加を抑制できる。
【００３５】
次に、図6(a)に上記操作ボタン部分の組立後の状態における正面図、図6(b)には図6(a) のA-A断面における断面の拡大図を示す。
【００３６】
第1のFPC 42はスリット部42cを有し、実装基板44上にあるコネクタ46に接続される実装基板接続側42aと、第1の領域の操作ボタン39aの信号を拾う操作スイッチ(図示せず)が実装される操作スイッチ実装側42bの2つに分かれる二股形状を持つ。第1のFPC 42は、実装基板接続側42aのFPC端子部をコネクタ46に接続した状態で折り返されて本体基板(図示せず)に接続される。このとき、第1のFPC 42の折り返し部のFPC長さ余裕量は、実装基板接続側42aよりも操作スイッチ実装側42bの方が少ない。
【００３７】
また、第1の金属プレート40は実装基板44よりも上部に突出する突出形状部40cを持ち、第1のFPC 42の操作スイッチ実装側42bの折り返し部において第1のFPC 42が実装基板44のエッジに当らないようになっている。また、突出形状部40cは面押し等の処理がされておりFPCを傷つけないようになっている。したがって、第1のFPC 42の本体基板(図示せず)接続時にFPCが引っ張られた場合、FPC長さ余裕量が少ない操作スイッチ実装側42bが、先に第1の金属プレート40の突出形状部40cに当たる。これにより、第1のFPC 42の実装基板接続側42aが本体基板(図示せず)の接続作業時にFPC端子部が引っ張られて、抜けたり、斜め差し状態になってしまったりすることを防ぎ、コネクタ部での接触不良が起こることを防止できる。
【００３８】
以上のように、本発明によれば、カメラを重く、かつ大型化することなく輝度ムラを抑え、外光を遮光する表示装置の保持構成を設けたカメラを提供することができる。
【００３９】
以上、本発明の好ましい実施形態について説明したが、本発明はこれらの実施形態に限定されず、その要旨の範囲内で種々の変形及び変更が可能である。
【符号の説明】
【００４０】
１    デジタルカメラ
２    レンズユニット
３    撮像手段
１８    表示装置
２２    タイミングジェネレータ
２３    Ａ／Ｄ変換回路
３３    保護窓
３５    外装カバー
３８    実装基板
【図１】
2014158120.tif 000003
【図２】
2014158120.tif 000004
【図３】
2014158120.tif 000005
【図４】
2014158120.tif 000006
【図５】
2014158120.tif 000007
【図６】
2014158120.tif 000008